(57)【要約】【課題】省スペース化することができ、開いた扉が邪魔にならない仏壇を提供する。【解決手段】前面が開口した箱形状を有する仏壇であって、該前面の両側にその各々の一端が回動自在に固定され、該前面の開口を開閉する１対の扉と、前記扉を前記仏壇の側面に当接するまで回動させるように支持する軸蝶番とを備えてなる。【選択図】図１
0003160035.tif 000002
【実用新案登録請求の範囲】
【請求項１】
前面が開口した箱形状を有する仏壇であって、
該前面の両側にその各々の一端が回動自在に固定され、該前面の開口を開閉する１対の扉と、前記扉を前記仏壇の側面に当接するまで回動させるように支持する軸蝶番とを備えた仏壇。
【請求項２】
前記扉には磁石が固定され、前記仏壇の前面には該磁石と吸着しあう磁石が固定され、前記側面にも前記扉の磁石と吸着しあう磁石が固定されてなる請求項１記載の仏壇。
【請求項３】
前記扉には磁石が固定され、前記仏壇の前面には該磁石に吸着される磁性体が固定され、前記側面にも前記扉の磁石に吸着される磁性体が固定されてなる請求項１記載の仏壇。
【請求項４】
前記扉には磁性体が固定され、前記仏壇の前面には該磁性体を吸着する磁石が固定され、前記側面にも前記扉の磁性体を吸着する磁石が固定されてなる請求項１記載の仏壇。
【請求項５】
前記１対の扉の各々が、前記仏壇の前面の一側にその一端が回動自在に固定された小扉と、該小扉の少なくとも一方の他端側に隣接するように回動自在に接続された少なくとも１枚の小扉とから構成されたものである請求項１〜４のいずれか１項に記載の仏壇。
【考案の詳細な説明】
【技術分野】
【０００１】
本考案は仏壇に関し、より詳細には、室内に載置される、あるいは室内壁に掛けられる仏壇に関する。
【背景技術】
【０００２】
仏壇は、床や棚上などに載置されたり、壁に掛けられるなどして室内に配置されるものである。しかし、観音開き式などの開閉扉を有する仏壇は、扉を開いたときのためのスペースを必要とする。また、壁掛け式の仏壇の場合、開いた扉が邪魔になるという問題があった。
【考案の概要】
【考案が解決しようとする課題】
【０００３】
本考案は、上記従来の問題に鑑みてなされたものであり、仏壇の側面に扉を着脱自在に固定できるように構成することにより、扉を開いたときに省スペース化することができ、開いた扉が邪魔にならない仏壇を提供することを目的とする。
【課題を解決するための手段】
【０００４】
本考案の仏壇は、前面が開口した箱形状を有する仏壇であって、該前面の両側にその各々の一端が回動自在に固定され、該前面の開口を開閉する１対の扉と、前記扉を前記仏壇の側面に当接するまで回動させるように支持する軸蝶番とを備えてなることを特徴とする。
【０００５】
また、前記扉には磁石が固定され、前記仏壇の前面には該磁石と吸着しあう磁石が固定され、前記側面にも前記扉の磁石と吸着しあう磁石が固定されてなることが好ましい。
【０００６】
また、前記扉には磁石が固定され、前記仏壇の前面には該磁石に吸着される磁性体が固定され、前記側面にも前記扉の磁石に吸着される磁性体が固定されてなることが好ましい。
【０００７】
また、前記扉には磁性体が固定され、前記仏壇の前面には該磁性体を吸着する磁石が固定され、前記側面にも前記扉の磁性体を吸着する磁石が固定されてなることが好ましい。
【０００８】
また、前記１対の扉の各々が、前記仏壇の前面の一側にその一端が回動自在に固定された小扉と、該小扉の少なくとも一方の他端側に隣接するように回動自在に接続された少なくとも１枚の小扉とから構成されたものであることが好ましい。
【考案の効果】
【０００９】
本考案の仏壇によれば、開閉式扉が、仏壇の側面に当接するまで開くことができるため、扉を開いたときのスペースをほとんど必要とせず、仏壇設置スペースを少なくすることができる。
【００１０】
また、扉は磁石の吸着力により安定した閉状態となる一方、開状態では、磁石の吸着力により側面に当接した状態で着脱自在に固定される。これにより、扉は開状態で安定し、かさばらず、邪魔にならない。
【００１１】
さらに、扉を、回動自在に接続された複数の小扉で構成することにより、複数の小扉を折りたたんだ状態で仏壇の側面に固定することができ、奥行きの浅い仏壇であっても、開状態の扉は仏壇の後方に突出しない。これによって、奥行きの浅いスペースに適用できる仏壇とすることができる。
【図面の簡単な説明】
【００１２】
【図１】本考案の第１の実施の形態による仏壇の概略斜視図である。
【図２】図１の仏壇の模式横断面図であって、扉の閉状態を示した図である。
【図３】図２に対応した図であって、扉の開状態を示した図である。
【図４】本考案の第２の実施の形態による仏壇の模式横断面図であって、扉の閉状態を示した図である。
【図５】図４に対応した図であって、扉の開状態を示した図である。
【考案を実施するための形態】
【００１３】
本考案の実施の形態に係る仏壇について、添付図面に沿って以下詳細に説明する。
【００１４】
図１は、本考案の第１の実施の形態による仏壇の概略斜視図であり、図２は、図１の仏壇の模式横断面図であって、扉の閉状態を示した図であり、図３は、図２に対応した図であって、扉の開状態を示した図である。
【００１５】
これらの図に示されるように、仏壇１は、天板２、地板３および三方の側面を覆う側板４ａ、４ｂ、４ｃによって構成され、その前面のほぼ全体が開口した箱形状を有する木製の構造体である。この天板２、地板３および側板４ａ、４ｂ、４ｃは、仏壇１において前面に対する側面となる。側板４ａ、４ｂは、天板２および地板３の側面より、少なくとも後述する扉１０ａ、１０ｂの厚さの分は内側に取り付けられており、その結果、天板２と地板３の側端には縁が形成されている。
【００１６】
この縁があることによって、後述する扉１０ａ、１０ｂを回動させて側板４ａ、４ｂに当接させることができ、また、その当接時に、扉１０ａ、１０ｂは仏壇１の側面から突出しない。ここで当接とは、扉１０ａ、１０ｂと側板４ａ、４ｂとの面同士が対向し、少なくともその一部が接することを意味する。なお、仏壇１はほぼ立方体形状を有するが、これに限定されるものではなく、直方体や変形四角柱であっても良い。
【００１７】
仏壇１の前面の両側には、開口５を観音開き式に開閉する左右１対の扉１０ａ、１０ｂが取り付けられている。２枚の扉１０ａ、１０ｂは木製の長方形板状体である。扉１０ａ、１０ｂの一端は、側板４ａ、４ｂの開口端より前方かつ側板４ａ、４ｂより外側で、後述する軸蝶番によって、それぞれ天板２および地板３に回動自在に固定されている。なお、扉１０ａ、１０ｂは木製のものに限定されるものではなく、金属製または合成樹脂製のものであっても良く、金属製の場合、扉１０ａ、１０ｂ自体が後述する磁性体の機能を果たすことになる。
【００１８】
また、扉１０ａ、１０ｂの固定端の反対側の上端近傍および下端近傍の内部には、それぞれ磁石片１１ａ〜１１ｄ、１１ｅ〜１１ｈが埋め込まれている。磁石片１１ａ、１１ｃ、１１ｅ、１１ｇは扉１０ａ、１０ｂの表面側に固定されており、後述する固定部材２５ａ、２５ｂ、２５ｃ（一部図示せず）と吸着しあい、扉１０ａ、１０ｂを開いた状態すなわち開状態、かつ側板４ａ、４ｂに当接した状態に維持するためのものである。磁石片１１ｂ、１１ｄ、１１ｆ、１１ｈは扉１０ａ、１０ｂの裏面側に固定されており、後述する固定部材２０ａ、２０ｂと吸着しあい、扉１０ａ、１０ｂを、開口５を閉じた状態すなわち閉状態に維持ためのものである。なお、磁石片１１ａ〜１１ｄと磁石片１１ｅ〜１１ｈとは同様の作用を奏するものであるため、以下、磁石片１１ａ〜１１ｄについて説明し、磁石片１１ｅ〜１１ｈについて説明は繰り返さない。固定部材についても同様とする。
【００１９】
磁石片１１ａ〜１１ｄは、フェライト磁石、ネオジム磁石などの永久磁石などの磁石であり、固定部材２０や固定部材２５ａ、２５ｂに吸着するものであれば、鉄やマルテンサイト系ステンレス鋼などの磁性体であっても良い。また、磁石片１１ａ、１１ｂと磁石片１１ｃ、１１ｄは、それぞれ１つの磁石片とすることもできる。さらに、磁石片１１ａ〜１１ｄは扉１０ａ、１０ｂに埋め込まれているが、これに限定されるものではなく、扉１０ａ、１０ｂに外付けされるものであっても良い。その位置についても、扉１０ａ、１０ｂの上端近傍および下端近傍に限定されるものではなく、いずれか一方の端部に設けられるものであっても良く、固定部材２０や固定部材２５ａ、２５ｂの位置と対応して変化することができる。
【００２０】
天板２の下面および地板３の上面の、側板４ａ、４ｂの開口端より前方かつ側板４ａ、４ｂの外側には、軸受けとなる図示しない穴が互いに対向するように形成されている。また、扉１０ａ、１０ｂの回動中心には、その上面と下面に、天板２と地板３に設けられた軸受けに対向する位置に図示しない穴が形成されている。この穴には円柱形状の軸部材１５ａ、１５ｂが固定され、固定された軸部材１５ａ、１５ｂは軸受けに係合されている。この軸部材１５ａ、１５ｂと軸受けとが軸蝶番として機能する。
【００２１】
本考案において軸蝶番とは、軸を有し、その軸を中心として扉を回動させ、開閉できるようにするものを意味し、本実施の形態の軸蝶番や、両片を有するいわゆる蝶番（ヒンジ）を含むが、これに限定されるものではない。この軸蝶番によって、扉１０ａ、１０ｂは開口５を閉じるだけでなく、開いたときに側板４ａ、４ｂに当接するまで開くことができる。また、本実施の形態の軸蝶番は外部に露出するものではないため、外観に影響を及ぼさない。
【００２２】
軸部材１５ａ、１５ｂは、上部の固定、すなわち天板２の下面に設けられた軸受けとの係合固定には上側軸部材を用い、下部の固定、すなわち地板３の上面に設けられた軸受けとの係合固定には下側軸部材を用いている。しかし、必ずしもこのように構成する必要はなく、軸部材１５ａ、１５ｂは扉を上下に連通する長尺の棒状部材や、鍔付きのものであっても良く、その材質も木製、金属製または合成樹脂製のものを用いることができる。また、穴は貫通孔であっても良い。
【００２３】
仏壇１の開口５の上部および下部には、棒状または板状の戸当り１８ａ、１８ｂが取り付けられており、それらの中央には固定部材２０ａ、２０ｂが埋め込まれている。この固定部材２０ａ、２０ｂは磁石であり、扉１０ａ、１０ｂの磁石片１１ｂ、１１ｄに吸着して扉１０ａ、１０ｂを閉状態に着脱自在に固定するためのものである。なお、磁石としては、フェライト磁石、ネオジム磁石などの永久磁石を用いることができ、鉄や他の磁性体とすることもできる。
【００２４】
仏壇１の側板４ａ、４ｂには、扉１０ａ、１０ｂが側板４ａ、４ｂに当接したときの磁石片１１ａ、１１ｃに対向する位置に、磁石からなる固定部材２５ａ、２５ｂが埋め込まれている。この固定部材２５ａ、２５ｂの吸着力によって、扉１０ａ、１０ｂを側板４ａ、４ｂに着脱自在に固定することができる。なお、固定部材２５ａ、２５ｂの磁石としては、固定部材２０と同様のものを用いることができ、鉄や他の磁性体とすることもできる。
【００２５】
次に、扉１０ａ、１０ｂの開状態での固定について説明する。図２に示されるように、仏壇１において扉１０ａ、１０ｂは閉状態である。このとき、扉１０ａ、１０ｂの磁石片１１ｂ、１１ｄは、開口端部に設けられた固定部材２０と吸着しあい、扉１０ａ、１０ｂを仏壇１の前面に着脱自在に固定している。
【００２６】
この状態から、扉１０ａ、１０ｂを図２の矢印で示される方向に開くと、扉１０ａ、１０ｂは、軸蝶番の軸部材１５ａ、１５ｂを中心として回動する。扉１０ａ、１０ｂの回動中心となる軸部材１５ａ、１５ｂは、側板４ａ、４ｂより外側にあり、かつ側板４ａ、４ｂの開口端より前方に設けられているため、扉１０ａ、１０ｂは側板４ａ、４ｂの外面に当接するまで回動することができる。
【００２７】
扉１０ａ、１０ｂの回動動作により側板４ａ、４ｂへの当接が近づくと、側板４ａ、４ｂに固定された固定部材２５ａ、２５ｂが扉１０ａ、１０ｂの磁石片１１ａ、１１ｃと吸着しあい、図３に示されるように扉１０ａ、１０ｂを側板４ａ、４ｂに当接した状態で着脱自在に固定する。これによって、扉１０ａ、１０ｂは開状態で安定し、かさばらず、邪魔にならない。
【００２８】
図４は、本考案の第２の実施の形態による仏壇の模式横断面図であって、扉の閉状態を示した図であり、図５は、図４に対応した図であって、扉の開状態を示した図である。本実施の形態による仏壇の構成は先に説明した第１の実施の形態によるものと基本的に同様なので、以下、相違点を中心に説明する。
【００２９】
これらの図に示されるように、第２の実施の形態による仏壇１は、奥行きが浅い点が第１の実施の形態によるものと異なっている。また、１対の扉の一方は、仏壇１の前面の一側にその一端が軸蝶番によって回動自在に固定された小扉３０ａと、その小扉３０ａの他端に隣接するようにヒンジによって回動自在に固定された小扉３０ｂとから構成されている。扉をこのように構成することによって、扉を開いて後方に回動させたとき、小扉３０ａ、３０ｂを折りたたむことができるので、奥行きの浅い仏壇であっても、側板４ａに当接した開状態の扉が仏壇の後方に突出せず、奥行きの浅いスペースにも不自由なく仏壇を設置することができる。なお、小扉３０ｃ、３０ｄについても、小扉３０ａ、３０ｂと同様に構成されているため、説明は繰り返さない。小扉の枚数も特に制限されない。
【００３０】
また、小扉３０ｂの裏面側には磁石片１１ｂが埋め込まれており、この磁石片１１ｂは、固定部材２０と吸着しあい、小扉３０ａ、３０ｂを閉状態で安定させる。一方、小扉３０ａの表面側には磁石片１１ａが埋め込まれており、この磁石片１１ａは、固定部材２５ａと吸着しあい、小扉３０ａを側板４ａに当接した開状態で安定させる。なお、本実施の形態では、各小扉に、磁石片を埋め込み、開状態における小扉の固定を確実にしているが、この磁石片はなくても良い。
【００３１】
なお、上記各実施の形態では、仏壇の開閉式扉は左右１対の扉であったが、ここでいう左右や天板、地板は相対的な関係を示したものにすぎず、側板が地板となるように仏壇を回転して使用した場合に、開閉式扉が上下１対の扉となる実施態様も本考案に含まれるものである。
【符号の説明】
【００３２】
１  仏壇
２  天板
３  地板
４ａ、４ｂ、４ｃ  側板
５  開口
１０ａ、１０ｂ  扉
１１ａ〜１１ｈ  磁石片
１５ａ、１５ｂ  軸部材
１８ａ、１８ｂ  戸当り
２０、２０ａ、２０ｂ  固定部材
２５ａ、２５ｂ、２５ｃ  固定部材
３０ａ、３０ｂ、３０ｃ、３０ｄ  小扉
【図１】
0003160035.tif 000003
【図２】
0003160035.tif 000004
【図３】
0003160035.tif 000005
【図４】
0003160035.tif 000006
【図５】
0003160035.tif 000007